(57)【要約】【課題】  確実に作動し得る傘を提供する【解決手段】  傘は、縦軸Ｘを定める中棒１と、骨アセンブリ２と、ロクロ３とを有する。中棒は、上部ノッチ２０に固定されるとともに中棒の周りに配置されるガイドスリーブ１１を有する。ロクロは、ガイドスリーブ上にスライド自在に取り付けられている。ガイドスリーブは、当該ガイドスリーブ上に形成される弾性突出部１１１を有する。ロクロは、当該ロクロ内に凹所を形成してなるソケット３３０と、縦軸に向けてソケットから上方へ傾けられた傾斜部３３１とを有する。弾性突出部とソケットとが係合すると、傘を開いておくためにロクロがガイドスリーブ上に安定して係合する。ロクロを下方へ引き下げると、弾性突出部からソケットを外すために、傾斜部が縦軸に向けて内方に弾性突出部を押すことが許容されて、ロクロが傘を閉じるために降下する。【選択図】  図１
0003107770.tif 000002
【実用新案登録請求の範囲】
【請求項１】
縦軸を定める中棒と、ロクロと、前記中棒にピボット式に連結されるとともに前記ロクロにピボット式に連結される骨アセンブリと、を有する傘であって、
前記中棒は、当該中棒のトップ部の上部ノッチに固定されるとともに前記中棒の周りに配置されるガイドスリーブを有し、前記ロクロは、前記ガイドスリーブ上にスライド自在に取り付けられ、
前記ガイドスリーブは、当該ガイドスリーブ上に形成される弾性突出部を有し、
前記ロクロは、当該ロクロ内に凹所を形成してなるソケットと、前記中棒の前記縦軸に向けて前記ソケットから上方へ傾けられた傾斜部とを有してなり、
前記ガイドスリーブ上の前記弾性突出部と前記ロクロの前記ソケットとが係合すると、傘を開いておくために前記ロクロが前記ガイドスリーブ上に安定して係合し、
前記ロクロを下方へ引き下げると、前記ガイドスリーブ上の前記弾性突出部から前記ロクロの前記ソケットを外すために、前記ロクロの前記傾斜部が前記縦軸に向けて内方に前記弾性突出部を押すことが許容されて、前記ロクロが傘を閉じるために降下してなる傘。
【請求項２】
前記中棒は、入れ子式に相互に連結自在となった上層管、中層管および下層管を有し、
前記ガイドスリーブは、前記上層管の周りに配置され、前記上層管と前記ガイドスリーブとの間に、前記中層管および前記下層管を引っ込ませて受け入れるためのスロットを定めてなる請求項１に記載の傘。
【請求項３】
前記弾性突出部は、当該弾性突出部をなす部分の輪郭の一部に沿ってスリットをカットすることによって、前記ガイドスリーブに一体的に形成され、傘を開いておくために前記ロクロ内の前記ソケットと係合するように前記縦軸から外方に向けて突き出てなる請求項１に記載の傘。
【請求項４】
前記ロクロは、シリンダ部と、フェルールと、円柱状カップリングとを含み、
前記シリンダ部は、前記ガイドスリーブにスライド自在に連結する中央開口を有し、
前記フェルールは、前記シリンダ部の上部に形成され、前記骨アセンブリの受骨をピボット式に連結し、
前記円柱状カップリングは、前記シリンダ部にスライド自在に連結するとともに前記シリンダ部の周りに配置され、傘を開くときに前記ガイドスリーブ上に形成された前記弾性突出部を係合するために当該円柱状カップリング内に凹所を形成してなる前記ソケットを有してなる請求項１に記載の傘。
【請求項５】
前記フェルールは、前記中央開口の周りに配置され前記ガイドスリーブにスライド自在に連結する中央リングを有し、
傘を開くために前記ロクロを持ち上げると、前記中央リングが前記弾性突出部を内方に押し下げ、前記フェルールが前記弾性突出部を通り過ぎることが許容され、それから、前記弾性突出部が前記ロクロの前記ソケットと係合するように外方に弾性的に突き出て、傘を安定して開いておくために、前記弾性突出部の上に前記ロクロがロックされてなる請求項４に記載の傘。
【請求項６】
前記シリンダ部は、円柱状溝と、底部フランジと、スロットとが形成され、
前記円柱状溝は、当該円柱状溝内に前記円柱状カップリングをスライド自在に連結し、
前記底部フランジは、前記シリンダ部の底部に形成され、前記円柱状カップリングが前記シリンダ部から下方に脱落することがないように前記円柱状カップリングの移動を制限し、
前記スロットは、前記シリンダ部を貫通して切開され、傘を開くと、前記弾性突出部が前記ガイドスリーブから外方に突き出て、前記ロクロの前記円柱状カップリング内に凹所を形成してなる前記ソケットと係合してなる請求項４に記載の傘。
【請求項７】
前記円柱状カップリングは、内方拡張部と、前記ソケットとを有し、
前記内方拡張部は、前記円柱状カップリングの内壁に円周上に形成され、前記シリンダ部の円柱状溝にスライド自在に係合し、
前記ソケットは、前記内方拡張部と傾斜部との間で、前記円柱状カップリング内に凹所を形成してなり、前記傾斜部は、前記中棒の縦軸Ｘの方に向けて上方かつ内方へと傾いており、傘を閉じるために前記ロクロを降下するときに、前記弾性突出部から前記ソケットを外すために前記弾性突出部を内方へ押してなる請求項４に記載の傘。
【請求項８】
前記ガイドスリーブは、前記中棒を構成するために入れ子式に連結された複数の管の長さにほぼ等しい長さを有し、前記ガイドスリーブは、その下部に形成された下部弾性突出部を有し、前記下部弾性突出部は、傘を閉じるために降下される前記ロクロと係合してなる請求項１に記載の傘。
する。
【請求項９】
前記下部弾性突出部は、前記ガイドスリーブ上の当該下部弾性突出部をなす部分の輪郭の一部に沿ってスリットをカットすることによって、前記ガイドスリーブの下部に一体的に形成され、傘を閉じるために降下される前記ロクロと係合するように突き出てなる請求項８に記載の傘。
【請求項１０】
前記ガイドスリーブは、傘を開くときに前記ロクロと係合するための前記弾性突出部を前記ガイドスリーブ上に形成するのに適合した前記中棒上の上部ノッチからの長さを有し、傘を閉じるときに、前記ガイドスリーブと前記中棒の上層管との間のスロットの中に前記中棒の中層管および下層管を引っ込ませるために、前記弾性突出部から下方へ向けて突出する下部ガイド部分を有してなる請求項１に記載の傘。
【請求項１１】
前記ガイドスリーブの前記下部ガイド部分は、傘を開くために持ち上げられる前記ロクロを円滑にガイドするために、前記中棒の前記縦軸と第１の鋭角をなして外挿的に交差するように、前記上層管に接近するよう下方に向けてテーパが付けられてなる請求項１０に記載の傘。
【請求項１２】
前記ガイドスリーブは、当該ガイドスリーブの底部に形成されるとともに前記中棒の前記縦軸と第２の鋭角をなして外挿的に交差するように上方に向けてテーパが付けられ、前記上層管の外側管表面に接触するテーパ状底リムを有し、前記ガイドスリーブは、前記下部ガイド部分に切り欠かれた多数のカッティングスリットを有してなり、
前記上層管と前記ガイドスリーブとの間の前記スロットの中に前記中層管および前記下層管を引っ込ませる際、前記中層管あるいは前記下層管は、前記ガイドスリーブにおけるわずかに膨張している前記下部ガイド部分によって、前記スロットの中に受け入れられるように、前記テーパ状底リムによって円滑にガイドされてなる請求項１０に記載の傘。
【請求項１３】
前記中棒および前記骨アセンブリは、一段の折り畳み傘あるいは多段の折り畳み傘である請求項１に記載の傘。
【考案の詳細な説明】
【技術分野】
【０００１】
本考案は、傘に関する。
【背景技術】
【０００２】
本件出願人は、長い耐用寿命を有する傘を提案した（２００２年１０月１５日出願、特願２００２−３００７２２（特開２００４−４９８６５）参照）。この出願で用いられている部材番号をかっこを付して引用して、先に提案した傘を概説する。この傘は、中棒に取り付けられたスプリング式の留め具（５）と、ロクロ（３）とを有し、当該ロクロ（３）は、傘が開かれる際に、留め具（５）のキャッチ部（５３）と係合する肩部（３４）を備えている。キャッチ部（５３）から肩部（３４）を外すために押ボタン（４）を押し込むと、傘を閉じるためにロクロ（３）を降下し得る。
【０００３】
その一方、傘を開くためにロクロ（３）を持ち上げるときに、傘の利用者（あるいは作業者）が、彼のあるいは彼女の手によってロクロ（３）を握って、押ボタン（４）を不注意にも同時に内部へ押し込む虞がある。このような場合には、ロクロ（３）の肩部（３４）とキャッチ部（５３）との係合が阻害されてしまい、傘を開いておくことができなくなってしまう。
【考案の開示】
【考案が解決しようとする課題】
【０００４】
解決しようとする問題点は、傘を開くためにロクロを持ち上げるときに、傘を開いておくことができなくなる事態が生じ得る点である。
【０００５】
本考案は、確実に作動し得る傘を提供することを目的とする。
【課題を解決するための手段】
【０００６】
本考案は、以下を含んでいる傘の提供を目的とする。本考案に係る傘は、中棒と、中棒のトップ部に形成された上部ノッチおよび中棒のまわりに配置されたガイドスリーブ上に摺動可能に保持されたロクロ（ｒｕｎｎｅｒ、ランナー）のそれぞれにピボット式に固定された骨アセンブリと、を含む。ガイドスリーブは、弾性を有する突出部が当該スリーブ上に一体的に形成され、ロクロは、傘を開くために弾性を有する突出部と係合するために当該ロクロに形成されたソケットを有する。傘を閉じるためにロクロを降下するときに、ガイドスリーブ上の弾性を有する突出部からロクロを外すため、弾性を有する突出部を内方に押すために、ロクロは、ソケットから上方かつ内向きに傾斜している傾斜部を有する。これによって、従来の傘のスプリング式の留め具を内方に押し下げることによる横方向への押し下げ動作を省略し、傘を閉じるための安全で、速く、人間工学的な動作を高めるようにしてある。
【０００７】
上記目的を達成するための請求項１に記載の考案は、縦軸を定める中棒と、ロクロと、前記中棒にピボット式に連結されるとともに前記ロクロにピボット式に連結される骨アセンブリと、を有する傘であって、
前記中棒は、当該中棒のトップ部の上部ノッチに固定されるとともに前記中棒の周りに配置されるガイドスリーブを有し、前記ロクロは、前記ガイドスリーブ上にスライド自在に取り付けられ、
前記ガイドスリーブは、当該ガイドスリーブ上に形成される弾性突出部を有し、
前記ロクロは、当該ロクロ内に凹所を形成してなるソケットと、前記中棒の前記縦軸に向けて前記ソケットから上方へ傾けられた傾斜部とを有してなり、
前記ガイドスリーブ上の前記弾性突出部と前記ロクロの前記ソケットとが係合すると、傘を開いておくために前記ロクロが前記ガイドスリーブ上に安定して係合し、
前記ロクロを下方へ引き下げると、前記ガイドスリーブ上の前記弾性突出部から前記ロクロの前記ソケットを外すために、前記ロクロの前記傾斜部が前記縦軸に向けて内方に前記弾性突出部を押すことが許容されて、前記ロクロが傘を閉じるために降下してなる傘である。
【考案の効果】
【０００８】
本考案の傘によれば、傘を開くためにロクロを持ち上げるとき、ロクロは、傘を安定して開くために確実に弾性突出部に係合される。したがって、押しボタン式タイプのロクロの場合に伴う従来の傘の欠点が改善され、確実に作動し得る傘を提供できる。
【考案を実施するための最良の形態】
【０００９】
図１〜図５に示すように、本考案の実施形態に係る傘は、中棒（ｃｅｎｔｒａｌ  ｓｈａｆｔ）１と、中棒１のトップ部にピボット式に固定され傘地を固定するための骨アセンブリ２と、ロクロ（あるいは下ロクロ（ｒｕｎｎｅｒ））３とを有する。この傘は、図面に示されるように、三段の折り畳み式の傘である。但し、傘を折り畳む段数は、本考案においては限定されない。
【００１０】
中棒１は、入れ子式に相互に連結自在となった上層管１２、中層管１３および下層管１４を有する。中棒１はさらに、傘を閉じるときに引っ込められて折り畳まれるときに、上層管１２、中層管１３および下層管１４の周りに配置されるガイドスリーブ１１を有する。ガイドスリーブ１１および上層管１２の両者は、骨アセンブリ２の上部ノッチ２０に固定されるそれらの上端部を有する。
【００１１】
骨アセンブリ２は、上部ノッチ２０にピボット式に固定される親骨（ｔｏｐ  ｒｉｂ）２１と、ロクロ３にピボット式に連結される内方部および親骨２１の外方部にピボット式に連結される中間部を備える受骨（ｓｔｒｅｔｃｈｅｒ  ｒｉｂ）２２と、受骨２２の外方部にピボット式に連結されるとともに連結骨（ｃｏｎｎｅｃｔｉｎｇ  ｒｉｂ）２４を介して親骨２１にピボット式に連結される内方部を備える中間骨（ｉｎｔｅｒｍｅｄｉａｔｅ  ｒｉｂ）２３と、中間骨２３にピボット式に連結されるテール骨（ｔａｉｌ  ｒｉｂ）２５とを有する。
【００１２】
ガイドスリーブ１１および上層管１２は、それらの間に、傘を閉じるときに中層管１３および下層管１４を受け入れるための環状の窓Ｓを定める。スリーブ１１の上端部１１ｕは、上部ノッチ２０に固定される。
【００１３】
ガイドスリーブ１１は、突出部１１１の部分的な輪郭に沿ってスリーブ１１にスリット１１２をカットすることによって、弾性を有する突出部１１１が当該スリーブ１１上に一体的に形成され得る。弾性突出部１１１は、通常、中棒１の縦軸Ｘから外方に向けて突き出て、ロクロ３内に凹所を形成してなるソケット３３０に係合している。図３に示すように、弾性突出部１１１は、ロクロ３によって押されたときに、スリーブ１１と上層管１２との間の窓Ｓの中に内方に押し下げられ得る。
【００１４】
ガイドスリーブ１１は、プラスチック材料あるいは他の適切な材料から作ることができる。弾性突出部１１１は、下部と、上部とを備える。弾性突出部１１１の下部は、傘を開く（図４の状態から図１の状態）ためにロクロ３を上げるときに、突出部１１１がロクロのソケット３３０と係合することを許容するように、ロクロ３の中央リング３２０によって内方へ押される傾斜面に形成されている。また、弾性突出部１１１の上部は、傘を開いたときに、ロクロ３内に凹所を作るようなソケット３３０に係合される直角あるいは曲げられた部分に形成されている。
【００１５】
ロクロ３は、シリンダ部３１と、フェルール（ｆｅｒｒｕｌｅ）３２と、円柱状カップリング３３とを有する。シリンダ部３１は、ガイドスリーブ１１にスライド自在に連結する中央開口３１０を有する。フェルール３２は、シリンダ部３１の上部に形成され、骨アセンブリ２の受骨２２をピボット式に連結する。円柱状カップリング３３は、シリンダ部３１にスライド自在に連結するとともにシリンダ部３１の周りに配置され、傘を開くときにガイドスリーブ１１上に形成された弾性突出部１１１を係合するために当該円柱状カップリング３３内に凹所を形成してなるソケット３３０を有する。フェルール３２は、中央開口３１０の周りに配置されガイドスリーブ１１にスライド自在に連結する中央リング３２０を有する。したがって、傘を開くためにロクロ３を持ち上げると、中央リング３２０が弾性突出部１１１を押し下げ、フェルール３２が突出部１１１を通り過ぎることが許容され、それから、突出部１１１がロクロ３のソケット３３０と係合するように外方に弾性的に突き出るであろう。これにより、傘を安定して開いておくために、突出部１１１の上にロクロ３がロックされる。
【００１６】
シリンダ部３１は、円柱状溝３１２と、底部フランジ３１１と、スロット３１３とが形成されている。円柱状溝３１２は、当該円柱状溝３１２内に円柱状カップリング３３をスライド自在に連結する。底部フランジ３１１は、シリンダ部３１の底部に形成され、円柱状カップリング３３がシリンダ部３１から下方に脱落することがないように当該円柱状カップリング３３の移動を制限している。スロット３１３は、シリンダ部３１を貫通して切開され、傘を開くと、弾性突出部１１１がガイドスリーブ１１から外方に突き出て、ロクロ３の円柱状カップリング３３内に凹所を形成してなるソケット３３０と係合する（図２参照）。
【００１７】
円柱状カップリング３３は、内方拡張部３３２と、ソケット３３０とを有する。内方拡張部３３２は、カップリング３３の内壁に円周上に形成され、シリンダ部３１の円柱状溝３１２にスライド自在に係合する。ソケット３３０は、内方拡張部３３２と傾斜部３３１との間で、カップリング３３内に凹所を形成してなる。傾斜部３３１は、中棒１の縦軸Ｘの方に向けて上方かつ内方へと傾いており、傘を閉じる（図２の状態から図３の状態）ためにロクロ３を降下するときに、弾性突出部１１１からソケット３３０を外すために弾性突出部１１１を内方へ押す。内方拡張部３３２は、シリンダ部３１の底部フランジ３１１によって下方への移動が制限され（図３）、傘を閉じるためにロクロ３を降下するときに、シリンダ部３１から円柱状カップリング３３が分離することを防止する。
【００１８】
ガイドスリーブ１１は、上層管１２の長さのような中棒１のそれぞれの管の長さにほぼ等しい長さを有する。ガイドスリーブ１１は、その下部に形成された下部弾性突出部１１３を有する。下部弾性突出部１１３は、図４および図５に示されるように傘を閉じるためにロクロ３を降下するときに、カップリング３３内に形成された内方拡張部３３２と係合する。
【００１９】
目的を単純化するために下部弾性突出部１１３を省略することができ、本考案においては限定されない。
【００２０】
下部弾性突出部１１３はまた、下部突出部１１３の輪郭に沿ってスリーブ１１にスリット１１４をカットすることによって、ガイドスリーブ１１に一体的に形成される。
【００２１】
傘を閉じる際、中層管１３および下層管１４は、ガイドスリーブ１１と上層管１２との間のスロットＳ内に引っ込められ受け入れられる。
【００２２】
図６〜図１２に示すように、本考案の他の好ましい実施形態には、上述したガイドスリーブ１１を短くしたものが開示される。
【００２３】
図６に示される短くされたガイドスリーブ１１は、当該スリーブ１１に形成された弾性突出部１１１が、傘を開くためにロクロ３内のソケット３３０に係合することができるのに十分な長さを有する。短くされたガイドスリーブ１１は、当該ガイドスリーブ１１の下部に形成されるとともに縦軸Ｘに向けて下方へテーパを付けられた下部ガイド部分１１ｇを有し、図９の状態から図６の状態に傘を開くためにロクロ３を持ち上げるときに、ロクロ３が突出部１１１に係合されるようにガイド部分１１ｇを乗り越えて円滑に通り過ぎるようにしてある。
【００２４】
図１０に示すように、ガイドスリーブ１１に形成された下部ガイド部分１１ｇは、傘を開くために持ち上げられるロクロ３を円滑にガイドするために、縦軸Ｘと第１の鋭角Ａをなして外挿的に交差するように、下方に向けてテーパが付けられている。ガイドスリーブ１１はまた、ガイドスリーブ１１の底部に形成されるとともに縦軸Ｘと第２の鋭角Ｂをなして外挿的に交差するように上方に向けてテーパが付けられているテーパ状底リム１１ｂを有する。底リム１１ｂは、上層管１２の外側管表面に近接あるいは弾性的に接触する状態にある。ガイドスリーブ１１は、下部ガイド部分１１ｇに切り欠かれた多数のカッティングスリット１１ｓを有する。それによって、上層管１２とガイドスリーブ１１との間のスロットＳの中に中層管１３および下層管１４を引っ込ませる際、中層管１３あるいは下層管１４は、複数のカッティングスリット１１ｓを形成することに起因する「チャック」のように作用するガイドスリーブ１１におけるわずかに膨張している下部ガイド部分１１ｇによって、スロットＳの中に受け入れられるように、テーパの付いた底リム１１ｂによって円滑にガイドされることになる（図１１および図１２参照）。
【００２５】
図６および図７の状態から図８の状態に傘を閉じる際、ロクロ３は、中棒１に向けて骨アセンブリ２を引っ込ませるために（図９）、弾性突出部１１１からソケット３３０を外すために降下される。スロットＳの中に中層管１３、下層管１４を引っ込ませた後（図１１）、それから、傘は完全に折り畳まれるだろう。
【００２６】
カップリング３３を完全に握って傘を開くためにロクロ３を持ち上げるときでさえ、ロクロ３は、傘を安定して開くために、間違いなく確実に突出部１１１に係合される。したがって、押しボタン式タイプのロクロの場合に伴う従来の傘の欠点が改善される。
【００２７】
ロクロ３をまさに降下して傘を閉じるとき、いかなる押し下げ動作をも必要とすることなく、例えば、従来の傘の中棒に弾性的に形成されたスプリング式の留め具からロクロを外すための横の方への押しボタン動作を必要とすることなく、迅速に人間工学的に傘を閉じることができる。弾性突出部１１１は、その製造を単純化し費用を低くするために、ガイドスリーブ１１に直接に一体的に形成されている。
【００２８】
図１３に示すように、中棒１は、単一の中央ポストあるいは中央管に改変でき、短くされたガイドスリーブ１１は、中央管の周りに直接配置されている。骨アセンブリ２はまた、単一ないし一段の折り畳みアセンブリに改変でき、上部ノッチ２０にピボット式に連結された親骨２１と、ロクロ３にピボット式に連結されるとともに親骨２１に連結される受骨２２とを有する。弾性突出部１１１がロクロ３内のソケット３３０に係合すると、傘は、図１３に示されるように安定して開かれる。傘を閉じるために降下されたロクロ３を係合するために、中棒１の下部に、下側の弾性突出部（図示せず）を追加して設けることもできる。
【００２９】
本考案は、上述した実施形態に限定されるものではなく、本考案の趣旨および範囲から逸脱することなく適宜改変し得る。
【図面の簡単な説明】
【００３０】
【図１】本考案の実施形態に係る傘が広げられた状態を一部断面で示す図である。
【図２】ガイドスリーブとロクロとの係合状態を示す、図１の部分拡大断面図である。
【図３】傘を閉じるためにロクロを降下させている状態を示す断面図である。
【図４】折り畳まれた骨アセンブリと、傘を閉じたときにロクロを係合するためにガイドスリーブ上に形成された下部弾性突出部とを備える傘を一部断面で示す図である。
【図５】スリーブの下部弾性突出部とロクロとの係合を示す、図４の拡大断面図である。
【図６】本考案の他の実施形態に係る傘が広げられた状態を一部断面で示す図である。
【図７】図６の部分拡大断面図である。
【図８】図７の状態から傘を閉じるためにロクロを降下させている状態を示す断面図である。
【図９】図６の状態から骨アセンブリを折り畳むことによって閉じられた傘を一部断面で示す図である。
【図１０】図６に示される他の実施形態のガイドスリーブの下部ガイド部分の構造を示す断面図である。
【図１１】図９の状態から中棒の管を引っ込ませることによって閉じられた傘を一部断面で示す図である。
【図１２】図１１の部分拡大断面図である。
【図１３】本考案のさらに他の実施形態に係る傘が広げられた状態を一部断面で示す図である。
【符号の説明】
【００３１】
１      中棒、
１１    ガイドスリーブ、
１１１  弾性突出部、
１１２  スリット、
１１３  下部弾性突出部、
１１４  スリット、
１１ｂ  テーパ状底リム、
１１ｇ  下部ガイド部分、
１１ｓ  カッティングスリット、
１２    上層管、
１３    中層管、
１４    下層管、
２      骨アセンブリ、
２０    上部ノッチ、
２１    親骨、
２２    受骨、
３      ロクロ、
３１    シリンダ部、
３１０  中央開口、
３１１  底部フランジ、
３１２  円柱状溝、
３１３  スロット、
３２    フェルール、
３２０  中央リング、
３３    円柱状カップリング、
３３０  ソケット、
３３１  傾斜部、
３３２  内方拡張部、
Ａ      第１の鋭角、
Ｂ      第２の鋭角、
Ｓ      窓、スロット、
Ｘ      縦軸。
【図１】
0003107770.tif 000003
【図２】
0003107770.tif 000004
【図３】
0003107770.tif 000005
【図４】
0003107770.tif 000006
【図５】
0003107770.tif 000007
【図６】
0003107770.tif 000008
【図７】
0003107770.tif 000009
【図８】
0003107770.tif 000010
【図９】
0003107770.tif 000011
【図１０】
0003107770.tif 000012
【図１１】
0003107770.tif 000013
【図１２】
0003107770.tif 000014
【図１３】
0003107770.tif 000015